(57)【要約】【課題】  転送電話の設定の解除を忘れても転送解除が可能な電話サービスが可能な電話システム、その通信制御方法、およびアプリケーション制御手段を提供する。【解決手段】  電話システムに接続されるＳＩＰ電話端末３Ａ〜３Ｎのログオン情報を監視して呼接続を管理するアプリケーション制御装置４がログオフ時刻から所定の時間が経過すると転送電話の設定を解除する。【選択図】  図１
2006033116.tif 000002
【特許請求の範囲】
【請求項１】
複数の電話端末との間で呼接続処理を行う呼接続処理手段と前記電話端末毎の電話機能の設定制御を行うアプリケーション制御手段とを備え、前記電話端末は、ログオンすることにより呼の発着信を可能とする電話システムにおいて、
前記アプリケーション制御手段にコマンドを送信して電話機能が設定できる電話端末と、
前記いずれかの電話端末から、第１の電話端末への呼を第２の電話端末に転送する転送電話のコマンドを受信した場合、前記転送電話を設定するとともに、内部タイマを参照して、前記第２の電話端末がログオフをしてから所定の時間が経過すると前記第１の電話端末に係わり設定された転送電話を解除するアプリケーション制御手段を具備することを特徴とする電話システム。
【請求項２】
複数のＳＩＰ電話端末との間で呼接続処理を行う呼接続処理手段と前記ＳＩＰ電話端末毎の電話機能の設定制御を行うアプリケーション制御手段とを備える電話システムにおいて、
前記アプリケーション制御手段にコマンドを送信して電話機能を設定する複数のＳＩＰ電話端末と、
前記いずれかのＳＩＰ電話端末から第１の前記ＳＩＰ電話端末への呼を第２の前記ＳＩＰ電話端末に転送する転送電話のコマンドを受信した場合、前記転送電話を設定するとともに、内部タイマを参照して、前記第２のＳＩＰ電話端末がログオフをしてから所定の時間が経過すると前記第１の電話端末に係わり設定された転送電話を解除するアプリケーション制御手段とを具備することを
特徴とする電話システム。
【請求項３】
複数のＳＩＰ電話端末との間で呼接続処理を行う呼接続処理手段と前記ＳＩＰ電話端末毎の電話機能の設定制御を行うアプリケーション制御手段とを備える電話システムにおいて
前記アプリケーション制御手段にコマンドを送信して電話機能を設定する複数のＳＩＰ電話端末と、
前記いずれかのＳＩＰ電話端末から第１の前記ＳＩＰ電話端末への呼を第２の前記ＳＩＰ電話端末に転送する転送電話のコマンドを受信した場合、前記転送電話を設定するとともに、内部タイマを参照して、前記第２のＳＩＰ電話端末が通話終了をしてから所定の時間が経過すると前記第１の電話端末に係わり設定された転送電話を解除するアプリケーション制御手段とを具備することを
特徴とする電話システム。
【請求項４】
ＳＩＰ電話端末との間で呼接続処理を行う呼接続処理手段と前記ＳＩＰ電話端末毎の電話機能の設定制御を行うアプリケーション制御手段とを備える電話システムにおいて、
前記アプリケーション制御手段にコマンドを送信して電話機能を設定する複数のＳＩＰ電話端末と、
前記いずれかのＳＩＰ端末から第１の前記ＳＩＰ電話端末への呼を第２の前記ＳＩＰ電話端末に転送する転送電話を設定するコマンドを受信した場合、前記転送電話を設定するとともに、内部タイマを参照して前記設定をした時刻から所定の時間が経過すると前記第１の電話端末に係わり設定された転送電話を解除するアプリケーション制御手段とを具備することを
特徴とする電話システム。
【請求項５】
ＳＩＰ電話端末との間で呼接続処理を行う呼接続処理手段と前記ＳＩＰ電話端末毎の電話機能の設定制御を行うアプリケーション制御手段とを備えるＳＩＰ電話システムにおいて、
前記アプリケーション制御手段にコマンドを送信して電話機能を設定する複数のＳＩＰ電話端末と、
前記いずれかのＳＩＰ電話端末から第１の前記ＳＩＰ電話端末への呼を第２の前記ＳＩＰ電話端末に転送する転送電話を設定するコマンドを受信した場合、前記転送電話を設定するとともに、内部タイマを参照して前記転送電話の設定が行われた翌日になると前記第１の電話端末に係わり設定された転送電話を解除するアプリケーション制御手段とを具備することを特徴とする電話システム。
【請求項６】
前記所定の時間は、
前記ＳＩＰ電話端末から前記アプリケーション制御手段に送信されるコマンドによって設定されることを特徴とする請求項１乃至４のいずれか１つに記載の電話システム。
【請求項７】
前記ＳＩＰ電話端末から、そのＳＩＰ電話端末のユーザ宛の呼を転送するか、又は前記ユーザを特定せずにその電話番号への呼を転送するかを選択するコマンドが前記アプリケーション制御手段に送信されることを特徴とする請求項１乃至５のいずれか１つに記載の電話システム。
【請求項８】
前記呼接続処理手段に送信された発呼が前記設定された転送の転送元である前記ＳＩＰ電話端末のユーザとして登録されたユーザからの発呼である場合、
前記アプリケーション手段は、前記第１の電話端末に係わり設定された転送電話を解除する
ことを特徴とする請求項１乃至５のいずれか１つに記載の電話システム。
【請求項９】
複数のＳＩＰ電話端末との間で呼接続処理を行う呼接続処理手段と前記ＳＩＰ電話端末毎の電話機能の設定制御を行うアプリケーション制御手段とを備える電話システムの通信制御方法において、
前記ＳＩＰ電話端末は、
第１の前記ＳＩＰ電話端末への呼を第２の前記ＳＩＰ電話端末に転送する転送電話を設定するコマンドを前記アプリケーション制御手段に送信し、
前記コマンドを受信した前記アプリケーション制御手段は、前記転送電話を設定するとともに、内部タイマを参照して前記第２のＳＩＰ電話端末がログオフ、又は通話終了をしてから所定の時間が経過すると前記第１の電話端末に係わり設定された転送電話を解除することを
特徴とする電話システムの通信制御方法。
【請求項１０】
複数のＳＩＰ電話端末との間で呼接続処理を行う呼接続処理手段と前記ＳＩＰ電話端末毎の電話機能の設定制御を行うアプリケーション制御手段とを備える電話システムの通信制御方法において、
前記ＳＩＰ電話端末は、
第１の前記ＳＩＰ電話端末への呼を第２の前記ＳＩＰ電話端末に転送する転送電話を設定するコマンドを前記アプリケーション制御手段に送信し、
前記コマンドを受信した前記アプリケーション制御手段は、前記転送電話を設定するとともに、内部タイマを参照して前記設定を行ってから所定の時間が経過すると前記第１の電話端末に係わり設定された転送電話を解除することを
特徴とする電話システムの通信制御方法。
【請求項１１】
複数のＳＩＰ電話端末との間で呼接続処理を行う呼接続処理手段と前記ＳＩＰ電話端末毎の電話機能の設定制御を行うアプリケーション制御手段とを備える電話システムの通信制御方法において、
前記ＳＩＰ電話端末は、
第１の前記ＳＩＰ電話端末への呼を第２の前記ＳＩＰ電話端末に転送する転送電話を設定するコマンドを前記アプリケーション制御手段に送信し、
前記コマンドを受信した前記アプリケーション制御手段は、前記転送電話を設定するとともに、内部タイマを参照して前記設定を行った翌日になると前記第１の電話端末に係わり設定された転送電話を解除することを
特徴とする電話システムの通信制御方法。
【請求項１２】
前記呼接続処理手段に送信された発呼が、前記設定された転送の転送元である前記ＳＩＰ電話端末のユーザとして登録されたユーザからの発呼要求である場合、
前記アプリケーション手段は、前記第１の電話端末に係わり設定された転送電話を解除する
ことを特徴とする請求項９乃至１１のいずれか１つに記載の電話システムの通信制御方法。
【請求項１３】
複数のＳＩＰ電話端末との間で呼接続処理を行う呼接続処理手段と、前記ＳＩＰ電話端末毎の電話機能の設定制御を行うアプリケーション制御手段とを備える電話システムのアプリケーション制御手段において、
いずれかの前記ＳＩＰ電話端末からＩＰネットワークを介して第１の前記ＳＩＰ電話端末への呼を第２の前記ＳＩＰ電話端末に転送する転送電話を設定するコマンドを受信した場合、前記転送電話を設定するとともに前記ＩＰネットワークの通信をモニタして、内部タイマを参照することにより、前記第２のＳＩＰ電話端末がログオフ、又は通話を終了してから所定の時間が経過すると前記第１の電話端末に係わり設定された転送電話を解除することを特徴とする電話システムのアプリケーション制御手段。
【請求項１４】
複数のＳＩＰ電話端末との間で呼接続処理を行う呼接続処理手段と、前記ＳＩＰ電話端末毎の電話機能の設定制御を行うアプリケーション制御手段とを備える電話システムのアプリケーション制御手段において、
いずれかの前記ＳＩＰ電話端末からＩＰネットワークを介して第１の前記ＳＩＰ電話端末への呼を第２の前記ＳＩＰ電話端末に転送する転送電話を設定するコマンドを受信した場合、前記転送電話を設定するとともに、内部タイマを参照して前記設定を行ってから所定の時間が経過すると前記第１の電話端末に係わり設定された転送電話を解除することを特徴とする電話システムのアプリケーション制御手段。
【請求項１５】
前記呼接続処理手段に送信された発呼が、前記設定された転送の転送元である前記ＳＩＰ電話端末のユーザとして登録されたユーザからの発呼である場合、
前記アプリケーション手段は、前記第１の電話端末に係わり設定された転送電話を解除する
ことを特徴とする請求項１３または１４に記載の電話システムのアプリケーション制御手段。
【発明の詳細な説明】
【技術分野】
【０００１】
本発明は、転送電話を行う電話システム、その通信制御方法、およびアプリケーション制御手段に関する。
【背景技術】
【０００２】
近年、ＩＰ（Ｉｎｔｅｒｎｅｔ  Ｐｒｏｔｏｃｏｌ）電話を利用して、企業や事業場内での電話サービスの多機能化が進んでいる。その中でも、特にＳＩＰ（Ｓｅｓｓｉｏｎ  Ｉｎｉｔｉａｔｅｄ  Ｐｒｏｔｏｃｏｌ）電話システムは、ユーザ自身が電話端末に各種の電話機能の設定をすることが可能である（例えば、特許文献１。）。この様なＳＩＰ電話システムでは、電話機能を管理するアプリケーションサーバがユーザＩＤと電話端末の識別情報とを対応して管理することにより一人のユーザが複数の任意の電話端末からでも自席の電話端末に設定した電話機能が利用でき、また逆に１台の電話端末を複数のユーザがそれぞれ自分用に設定した電話機能が出来る電話端末として共同して利用することも出来る。
【０００３】
しかし、事務所から会議室等他の移動先の執務場所へ電話を転送する転送電話では移動先から帰席した時、もしくは転送が不要になった時に転送設定の解除を忘れると事務所の自席の電話端末には着呼しない問題が有った。
【特許文献１】特開２００２−１５２２２４号公報  （第７頁、第１図）
【発明の開示】
【発明が解決しようとする課題】
【０００４】
電話端末から転送先をユーザが設定できる転送電話では、転送が不要になった場合、転送解除を忘れると転送元の電話端末では着呼しない問題があった。
【０００５】
本発明は上記問題を解決するためになされたもので、転送電話の設定の解除を忘れても転送解除が可能な電話システム、その通信制御方法、およびアプリケーション制御手段を提供することを目的とする。
【課題を解決するための手段】
【０００６】
上記目的を達成するために、本発明の電話システムは、複数の電話端末との間で呼接続処理を行う呼接続処理手段と前記電話端末毎の電話機能の設定制御を行うアプリケーション制御手段とを備え、前記電話端末は、ログオンすることにより呼の発着信を可能とする電話システムにおいて、前記アプリケーション制御手段にコマンドを送信して電話機能が設定できる電話端末と、前記いずれかの電話端末から、第１の電話端末への呼を第２の電話端末に転送する転送電話のコマンドを受信した場合、前記転送電話を設定するとともに、内部タイマを参照して、前記第２の電話端末がログオフをしてから所定の時間が経過すると前記第１の電話端末に係わり設定された転送電話を解除するアプリケーション制御手段とを具備することを特徴とする。
【０００７】
また、本発明の電話システムの通信制御方法は、複数のＳＩＰ電話端末との間で呼接続処理を行う呼接続処理手段と前記ＳＩＰ電話端末毎の電話機能の設定制御を行うアプリケーション制御手段とを備える電話システムの通信制御方法であって、前記ＳＩＰ電話端末は、第１の前記ＳＩＰ電話端末への呼を第２の前記ＳＩＰ電話端末に転送する転送電話を設定するコマンドをＩＰネットワークを介して前記アプリケーション制御手段に送信し、前記コマンドを受信した前記アプリケーション制御手段は、前記転送電話を設定するとともに、内部タイマを参照して前記第２のＳＩＰ電話端末がログオフ、又は通話終了をしてから所定の時間が経過すると前記第１の電話端末に係わり設定された転送電話を解除することを特徴とする。
【０００８】
また、本発明のＳＩＰ電話システムのアプリケーション制御手段は、複数のＳＩＰ電話端末との間で呼接続処理を行う呼接続処理手段と、前記ＳＩＰ電話端末毎の電話機能の設定制御を行うアプリケーション制御手段とを備える電話システムのアプリケーション制御手段において、いずれかの前記ＳＩＰ電話端末からＩＰネットワークを介して第１の前記ＳＩＰ電話端末への呼を第２の前記ＳＩＰ電話端末に転送する転送電話を設定するコマンドを受信した場合、前記転送電話を設定するとともに前記ＩＰネットワークの通信をモニタして、内部タイマを参照することにより、前記第２のＳＩＰ電話端末がログオフ、又は通話を終了してから所定の時間が経過すると前記第１の電話端末に係わり設定された転送電話を解除することを特徴とする。
【発明の効果】
【０００９】
本発明によれば、ＳＩＰ電話端末のログオン状態を監視して電話サービスを制御するアプリケーション制御手段に転送電話が設定された場合、転送先での通話終了時刻から所定の時間が経過すると転送電話の設定を解除することにより解除忘れを防ぐことが出来る。
【発明を実施するための最良の形態】
【００１０】
以下、図面を参照して本発明の実施例を説明する。
【実施例】
【００１１】
（第１の実施の形態）
図１は、本発明の第１の実施の形態に係るＳＩＰ（Ｓｅｓｓｉｏｎ  Ｉｎｉｔｉａｔｅｄ  Ｐｒｏｔｏｃｏｌ）電話システムの全体の構成図である。以下、図１により本実施例のＳＩＰ電話システムの各校性の機能と動作概要を説明する。
【００１２】
図１においてＳＩＰ電話システムは、ＩＰネットワーク１、およびＩＰネットワーク１にそれぞれ接続される呼接続処理装置２、ＳＩＰ電話端末３Ａ〜３Ｎ、アプリケーション制御装置４、交換電話網５、ならびに管理端末６とを備えている。これらの各構成とＩＰネットワーク１とは、図示しないがルータを介して接続される。ＩＰネットワーク１は、インターネット網、もしくはイントラネットである。
【００１３】
呼接続処理装置２は、ＳＩＰ手順に従ってＩＰネットワーク１を介してＳＩＰ電話端末３Ａ〜３Ｎとの間でログオン管理、および呼接続処理を行い、外部の電話機と通話する場合には交換電話網５が接続され、ＳＩＰサーバ、ＩＰ−ＰＢＸと呼ばれることもある。そして、アプリケーション制御装置４との間で電話のサービス情報を入出力して交換電話網５からの呼、またはＳＩＰ電話端末３Ａ〜３Ｎ相互間の呼の接続制御を行う。例えば、ＳＩＰ電話端末３Ａから転送先がＳＩＰ電話端末３Ｂへ転送する転送電話が設定された場合、ＳＩＰ電話端末３Ａへの呼をＳＩＰ電話端末３Ｂに転送する呼接続処理をする。
【００１４】
ＳＩＰ電話端末３Ａ〜３Ｎ（以下、３Ａ〜３Ｎに共通な事項の場合、これらをまとめてＳＩＰ電話端末３と称して説明する。）は、音声信号をパケットに変換して通信する音声パケット処理部と、電話機のダイヤルやリンガ等の呼接続処理を行う呼制御部を備えている。以下は、ＳＩＰ電話端末３の電話サービスに伴う呼接続の処理に関する説明である。
【００１５】
即ち、ＳＩＰ電話端末３は、固有の識別情報を有し、ＳＩＰ電話端末３毎の動作設定情報、例えば、電話番号、ＩＰアドレス、その電話端末のユーザＩＤ、および転送電話はじめ電話サービス等の設定情報を通知するパケットがＳＩＰ電話端末３からＩＰネットワーク１を介して呼接続処理装置２、およびアプリケーション制御装置４に送信される。そして、ＳＩＰ電話端末３は、ＩＰネットワーク１にログオンし、呼接続処理装置２を介して他のＳＩＰ電話端末３、又は、交換電話網５に接続された電話機との間で呼接続処理ができるようになる。
【００１６】
アプリケーション制御装置４は、ＳＩＰ電話端末３から送信されたパケットをＩＰネットワーク１を介してモニタ（受信）し、各ＳＩＰ端末３に設定された、保留、転送電話サービス等の電話サービスの設定内容を内部データベースに記憶するとともに、ＩＰネットワーク１を介して呼接続処理装置２との間でこれらの設定に従った呼接続を行うための情報を入出力する。また、アプリケーション制御装置４は、ＩＰネットワーク１を介してＳＩＰ電話端末３と呼接続処理装置２との間で送受信される呼接続に関するパケットをモニタ（同時受信）して、各ＳＩＰ電話端末３毎のログオン、通話接続時刻等のデータを内部データベースに記憶する。なお、アプリケーション制御装置４は、図１においては独立した装置としてＩＰネットワーク１に接続されているが、呼接続処理装置２の内部の構成として内部バス等により呼接続処理装置２の他の内部構成とデータを入出力するものでもよい。
【００１７】
管理端末６は、ＩＰネットワーク１を介して、又は、直接、呼接続処理装置２、アプリケーション制御装置４、ＳＩＰ電話端末３Ａ〜３Ｎに接続される、これらうち少なくとも１つの構成の運用に必要なデータの入力、又はモニタを行う装置である。
【００１８】
図２は、図１における呼接続処理装置２の内部構成を示す機能ブロック図である。以下図２により、呼接続処理装置２の各構成の処理、動作手順の概要を説明する。
【００１９】
図２において、呼接続処理装置２は、それぞれが内部バス等で接続された電話網ＩＦ（インタフェース）２１、ＩＰネットワークＩＦ（インタフェース）２２と、レジストラ部２３、ロケーション部２４、コネクション部２５、テーブル２６とを備える。
【００２０】
レジストラ部２３は、ＩＰネットワーク１とＩＰネットワークＩＦ２２を介して各ＳＩＰ電話端末３Ａ〜３Ｎからのアドレス通知を受信し、受信したアドレスをロケーション部２４に登録する。この登録アドレスは、ＳＩＰ電話端末３の端末ＩＤ、それに割り当てられた電話番号、ＩＰアドレス、ユーザＩＤ等が対応付けられている。
【００２１】
ロケーション部２４は、この登録アドレスの情報を内部メモリ上に設けられたテーブル２６のリストに書き込み記憶する。
【００２２】
図３は、呼接続処理装置２のテーブル２６が記憶するリストの１例であり、ＳＩＰ電話端末３Ａに割り当てられた端末ＩＤ、「３Ａ」電話番号「１２３４」、ユーザＩＤ「Ｕ１」、ＩＰアドレス「192.168.100.1」等が書き込まれ、図３（ａ）は、電話サービスが未設定の場合、図３（ｂ）は、後で説明される転送電話が設定された場合のリストである。
【００２３】
コネクション部２５は、ＩＰネットワーク１とＩＰネットワークＩＦ２２を介して電話番号、又は、ユーザＩＤ等により宛先が設定されたパケットの呼接続要求、即ち、着呼信号を受信すると、ＩＰネットワーク１とＩＰネットワークＩＦ２２を介してアプリケーション制御装置４のデータベースからサービス情報を読み出し、その発呼先の電話番号、又はユーザＩＤに対応した転送等のサービス情報を照合する。そして、呼の接続先のリファレンスであるロケーション部２４のテーブル２６に記憶されたアドレスのリストを読み出して照合し、接続先の電話番号に転送電話が設定されていればその転送先の電話番号とその電話番号に対応するＳＩＰ電話端末３のＩＰアドレスを読み出して転送先の宛先アドレスに設定したパケットの着信情報をＩＰネットワークＩＦ２２を介してＩＰネットワーク１へ送信する。
【００２４】
図４は、アプリケーション制御装置４の内部構成を示す機能ブロック図である。以下、図４によりアプリケーション制御装置４の内部構成およびその動作処理概要を説明する。  
図４においてアプリケーション制御装置４は、ＩＰネットワークＩＦ（インタフェース）４１、監視制御部４２、データベース部４３とからなる。監視制御部４２は、ＩＰネットワーク１とＩＰネットワークＩＦ４１を介してＳＩＰ電話端末３からのログオン情報、転送電話等の電話機能のデータをモニタ（同時受信）してデータベース部４３に書き込み記憶する。
【００２５】
図５は、データベース４３の記憶データの内容を示す図で、図５（ａ）は、電話機能が未設定の状態の記憶データである。図５（ａ）において、データベース４３には、各ＳＩＰ電話端末の端末ＩＤ「３Ａ」．．．とそれに対応した、電話番号「１２３４」．．．ユーザＩＤ「Ｕ１」．．．が記憶される。図５（ｂ）は後に説明される転送電話が設定された場合の記憶データである。以下では、一般に不在者転送と呼ばれる予め指定した着信先の電話端末へ無条件に転送するものを転送電話として説明する。
【００２６】
制御部４２は、データベース部４３に各ＳＩＰ電話端末３Ａ〜３Ｎについて、「ログオン時刻」、「ログオフ時刻」、「通話終了時刻」、更に転送電話の機能が設定されれば、その種類を「機能」と「機能設定時刻」をそれぞれの欄に書き込み記憶することにより監視し、転送電話の通話終了後、又は、最終の「ログオフ時刻」から所定の時間が経過すると、当該ＳＩＰ電話端末３の転送設定に関するデータをデータベース部４３から削除して転送電話の設定を解除する。
【００２７】
図６は、ＳＩＰ電話端末３の機能を示す機能ブロック図である。以下図６によりＳＩＰ電話端末３の内部構成と処理動作の概要を説明する。図６においてＳＩＰ電話端末３は、主に音声パケット処理を司る音声処理部３１、主に呼接続を司る呼処理部３２、およびＩＰネットワーク１と音声処理部３１、および呼処理部３２との間でパケットを入出力するためのＩＰネットワークＩＦ部３３とから構成される。そして、音声処理部３１は、図示しない送受話器、符号化処理回路等を備え、呼処理部３２は、図示しないキーボタン、リンガトーン処理回路等を備えている。
【００２８】
呼処理部３２は、従来の電話におけるダイヤル操作、およびリンガトーンに相当する処理を行うものであってＩＰネットワークＩＦ部３３と呼接続に関わるデータのパケットを入出力する。このパケットには、端末の識別情報、電話番号、ＩＰアドレス、ユーザＩＤ等が含まれる。また、キーボタンは、発呼先の電話番号を入力するほか、ユーザＩＤや転送等の電話機能設定に使用される。以下では、必要が無い限りＳＩＰ電話端末３の各内部構成の動作についての記述を省略する。
【００２９】
図７は、本発明の実施例におけるＳＩＰ電話システムが転送電話を行なう動作の流れを示すフローチャートである。以下、図１〜図６の図面と図７のフローチャートを用いて、図１におけるＳＩＰ電話システムの動作の流れを説明する。
【００３０】
各ＳＩＰ電話端末３は、ＳＩＰ電話システムに組み込まれる際に、端末ＩＤ、電話番号、ＩＰアドレス、およびユーザＩＤが端末データとして初期設定される。例えば、ＳＩＰ電話端末３Ａ、３Ｂの識別情報（ユーザＩＤ）「３Ａ」、「３Ｂ」、電話番号に「１２３４」、「２３４５」が割り当てられ、また、ＳＩＰ電話端末３Ｂにユーザが割り当てられている場合にはそのユーザＩＤとユーザＩＤ、例えば、「Ｕ１」、「U1@192.168.200.5」、ユーザが特定されなければ、例えば、「Ｕ０」、「U0@192.168.200.5」とが初期設定される（ステップｓ１）。
【００３１】
これらの初期設定データは、ＳＩＰ電話端末３のキーボタンから所定の操作手順により入力されるか、又は、ＳＩＰ電話端末３用の管理端末６が接続されてその管理端末６から初期設定データをダウンロードすることにより、ＳＩＰ電話端末３の内部メモリ等に書き込み記憶される。
【００３２】
次に、ＳＩＰ電話端末３Ａを例にしてＳＩＰ電話システムに登録、ログオンする処理を説明する。ＳＩＰ電話端末３Ａは、受話器がオフフック状態になるとＩＰネットワーク１を介して呼接続処理装置２との間で接続される。そして、初期設定された端末データが自動的に内部メモリから所定の手順で読み出され、その端末データが設定されたパケットがＩＰネットワーク１を介して、呼接続処理装置２に送信される（ステップｓ２）。
【００３３】
なお、初期設定時は、オフフック後、自動的に端末データを送信せずに端末データを所定の手順でキーボタン等から入力してパケットを呼接続処理装置２に送信する方法がとられても良い。また、この端末データにはＳＩＰ電話端末、ユーザ等の認証情報が含まれ、仮ログオン処理が行われる場合もある。
【００３４】
呼接続処理装置２のレジストラ部２３は、このパケットをＩＰネットワーク１からＩＰネットワークＩＦ２２を介して受信し、ＳＩＰ電話端末３Ａの識別情報「３Ａ」、電話番号「１２３４」、ユーザＩＤ「Ｕ１」、およびＩＰアドレス「U1@192.168.100.1」の各データをロケーション部２４に出力して登録する。ロケーション部２４では、入力された各端末データを図３に示される様にテーブル２６に書き込み記憶してログオンする（ステップｓ３）。なお、レジストラ部２３は、ＳＩＰ電話端末３のログオンが行われると、内部タイマを起動して、その後所定の時間が経ってもそのＳＩＰ電話端末３から発呼、又は、オフフックなどによる再ログオン処理が行われないとそのＳＩＰ電話端末３をログオフする。
【００３５】
また、ログオン時にＳＩＰ電話端末３から呼接続処理装置２に送信されるパケットは、アプリケーション制御装置４でもＩＰネットワーク１からＩＰネットワークＩＦ４１を介してモニタ（同時受信）され、端末データおよび、ログオン時刻等が、制御監視部４２によってデータベース４３（ステップｓ４）へ書き込み記憶される。そして、他のＳＩＰ電話端末３Ｂ〜３Ｎについてもこの登録、記憶およびログオン処理が同様に行われる。このログオン後、ＳＩＰ電話端末３から電話番号、また転送などの電話機能のコマンドを入力することによりＳＩＰ電話システム上で呼接続処理が行われる。
【００３６】
さて、ユーザ「Ｕ１」は、通常ＳＩＰ電話端末３Ａを用いるが、例えば、午前１０時から午前中会議室へ移動しようとする時、ユーザ「Ｕ１」は、自分のユーザＩＤ「Ｕ１」が登録されたＳＩＰ電話端末３Ａにかけられた電話を、会議室のＳＩＰ電話端末３Ｂに転送する転送電話の設定コマンドの入力を午前９時５０分に行う。即ち、例えば、ＳＩＰ電話端末３Ａは、ユーザ「Ｕ１」に受話器を取り上げられオフフック状態になると再ログオンし、キーボタンから転送電話のコマンドを意味する「＊」に続いて転送先のＳＩＰ電話端末３Ｂの電話番号「２３４５」を入力される。そして、ＳＩＰ電話端末３ＡからＩＰネットワーク１を介して転送電話のコマンド「＊２３４５」のパケットがアプリケーション制御装置４と呼接続処理装置２へ送信される（ステップｓ２−１）。
【００３７】
アプリケーション制御装置４は、ＩＰネットワーク１を介してコマンドのパケットを受信するとパケットの送信元ＩＰアドレスからユーザＩＤ「Ｕ１」および、コマンドから転送先の電話番号「２３４５」、およびログオン時刻（転送設定時刻としても扱われる。）をデータベース部４３に記憶し内部タイマを起動するとともに、呼接続処理装置２を介してＳＩＰ電話端末３Ａの呼接続の監視を始める（ステップｓ２−２）。
【００３８】
図５（ｂ）は、転送先が追加して登録されたＳＩＰ電話端末３Ａに付いてのデータベース部４３の記憶データであって、電話番号「２３４５」と、転送電話の設定を行ったログオン時刻「９：５０」等が記憶されている。
【００３９】
この設定が行われた後、ＳＩＰ電話端末３Ａ、即ち、電話番号「１２３４」に電話の着呼、言い換えると接続要求を受信する（ステップｓ７）。この接続要求は、交換電話網５を介して着呼信号が呼接続処理装置２の電話網ＩＦ２１で受信されると、その着呼信号は、内部バスによりコネクション部２５へ出力される。
【００４０】
コネクション部２５は、着呼信号から接続先の電話番号「１２３４」を判読すると、ロケーション部２４を照合してアプリケーション制御装置４のデータベース部４３を参照して電話番号「１２３４」のＳＩＰ電話端末３Ａの識別情報「３Ａ」、およびユーザＩＤ「Ｕ１」等の転送元データを読み出す。（ステップｓ８）。
【００４１】
また、コネクション部２５は、データベース部４３にＳＩＰ電話端末３Ａに「転送」が設定されていることを判読した場合（ステップｓ９がＹｅｓ）、その転送先の電話番号「２３４５」を探し出す（ステップｓ９−１）。そして、更にロケーション部２４のテーブル２６から電話番号「２３４５」に対応するＳＩＰ電話端末３ＢのＩＰアドレス「U1@192.168.200.5」を探し出し、それを宛先アドレスにした着信情報のパケットを生成してＳＩＰ電話端末３Ｂへ転送する（ステップｓ１１）。
【００４２】
着信情報のパケットを受信したＳＩＰ電話端末３Ｂは、呼処理部３２がリンガトーンを鳴動し、ユーザ「Ｕ１」が受話器を取り上げると通話が開始される。
【００４３】
図５（ｃ）は、転送された電話を着信した場合のデータベースが記憶するデータの例である。図５（ｃ）では、転送された電話を着信して受話器を取り上げた時の再ログオン時刻が「ログオン時刻」に「１０：３０」が記録されている。そして、通話が終了すると呼処理部３２からＳＩＰ電話端末３Ｂの通話終了（オンフック）情報が呼接続処理装置２へ送信される。そして、呼接続処理装置２から通話終了がアプリケーション制御装置４へ通知されるか、または、その電話の通話接続（コネクション）をモニタしているアプリケーション制御装置４が、データベース部４３にＳＩＰ電話端末３Ｂの「通話終了時刻」の「１０：４０」を記憶する。なお、ＳＩＰ電話端末３Ａには「転送」が設定されていない（ステップｓ９がＮｏ）場合は、そのまま、電話番号「１２３４」のＳＩＰ電話端末３Ａへ着信情報を送信する（ステップｓ１０）。
【００４４】
ユーザ「Ｕ１」は、会議を終えて再びＳＩＰ電話機３Ａが設置された事務所の自席に戻るとＳＩＰ電話機３Ａの受話器を取り上げてキーボタンにより転送電話の設定を解除するコマンド、例えば、「＊００」を入力する。そして、ＳＩＰ電話機３Ａからアプリケーション制御装置４へ転送解除を通知するコマンドが送信され、それを受信したアプリケーション制御装置４のデータベース部４３から転送電話の設定のデータが削除されて転送設定が解除される。
【００４５】
ところが、ユーザ「Ｕ１」が会議出席後、更に外出するか、又は自席に戻った時に転送電話の設定の解除を忘れた場合には「１２３４」の電話番号にかけられた電話は、相変わらず転送先のＳＩＰ電話端末３Ｂに転送されるのでＳＩＰ電話端末３Ａでは電話の着信が出来ない。
【００４６】
そこで、本発明では、解除忘れを防ぐ為にアプリケーション制御装置４が、データベース部４３を監視して、転送電話の設定が行われた時刻から、呼接続、ログオン状況を監視して通話終了時刻、又はログオフを行った時刻から所定の時間が経過するとその転送電話の設定を解除する制御を行う。
【００４７】
即ち、アプリケーション制御装置４は、呼接続処理装置２のコネクション部２５を介してＳＩＰ端末３Ａ，および３Ｂ呼接続動作を監視する。上記の例では、ＳＩＰ端末３ＢのＩＰネットワーク１へログオン状態を調べログオン時刻「１０：３０」、「ログオフ時刻」の「１１：１０」、および「通話終了時刻」の「１０：４０」をデータベース部４３に記憶する。ここで、「ログオフ時刻」が「１１：１０」であるのは、通話終了後、呼接続処理装置２のレジストラ部２３がＳＩＰ電話端末３Ｂの呼接続を監視し、３０分経過しても再ログオンが無いのでログオフする処理を行っているからである。そして、監視制御部４２は、ログオン後のＳＩＰ端末３Ｂの呼接続の動作をモニタして内部タイマ（図示せず）と照合し経過時間をカウントする。
【００４８】
そして、転送電話の通話が終了してから所定の時間、例えば、４時間経過した、１４時４０分になってもＳＩＰ端末３Ｂがログオフしたままで内部タイマがタイムアウト（ステップｓ５がＹｅｓ）した場合、アプリケーション制御装置４は、ユーザ「Ｕ１」がＳＩＰ端末３Ｂのある会議室には不在で転送電話を着信出来ないと判断する。その結果、アプリケーション制御装置４は、当該転送電話に関わるデータを削除して転送電話の設定を解除し、データベース部４３の記憶内容を更新する（ステップｓ６）。
【００４９】
また、内部タイマのタイムアウトは、転送先での通話終了時刻を基準とするほか、転送先が設定されたＳＩＰ電話端末３Ｂのログオフ時刻（ここでは、「１１：１０」）を基準とするもの、又は、転送設定がデータベース部４３に記憶された時刻（ここでは、「機能設定時刻」の「９：５０」）を基準として経過時間をカウントするものであっても良い。また、転送電話の設定がデータベース部４３に記憶された日付（ここでは、図示されていない。）を基準として、日付が変更した時に転送電話の設定を解除するものであっても良い。
【００５０】
上記の内部タイマのタイムアウトの諸条件は、アプリケーション制御装置４に管理端末６等から上記の様な経過時間、または時刻等の条件を初期設定する。また、この他に管理端末６の代わりにＳＩＰ電話端末３から時間や、時刻等の解除条件を設定することも出来る。例えば、「＊＃１＊」の各キーボタンを順に押して１時間単位で任意の解除時間を設定するコマンドがある。また、例えば、「＊＃＃＊」と入力することにより設定日から日付が変わると転送電話の設定を解除するコマンド等がある。
【００５１】
以上が転送電話の設定の解除し忘れを防ぐ基本手順であるが、図７のフローチャートにステップｓ５−１として示される転送電話の設定の解除忘れを防ぐオプションの手順を設けても良い。
【００５２】
このオプションの代表例を以下に説明する。これらの処理によってユーザに割り当てられたＳＩＰ端末３以外でも転送の設定・解除を行うことが出来、ユーザのパーソナルモビリティが確保できる。そして、ＳＩＰ電話端末にアクセスすることにより自動的に転送解除を行うので、解除忘れを防ぐことが可能になる。
【００５３】
（１）ユーザ「Ｕ１」が転送設定先の電話番号以外のＳＩＰ電話端末３からログオンした場合。  
即ち、上記の例において、電話番号「４５６７」のＳＩＰ電話端末３Ｎからログオンするか、又は、ユーザ「Ｕ１」が自席の「１２３４」の電話番号、即ちＳＩＰ電話端末３Ａからログオンした場合である。アプリケーション制御装置４の監視制御部４２は、呼接続処理装置２のレジストラ部２３と同様にＩＰネットワーク１を介して各ＳＩＰ電話端末３の呼接続をモニタしている。そして、ＳＩＰ電話端末３Ａ、又は３Ｎから送信された発呼信号を受信し、データベース部４３と照合して判読したユーザＩＤがユーザ「Ｕ１」である場合、データベース部４３に記憶されたユーザ「Ｕ１」の転送先ＳＩＰ電話端末３Ｂには不在になったので、転送しても通話できないと判断する。そして、監視制御部４２は、ＳＩＰ電話端末３Ａ宛の着呼をＳＩＰ電話端末３Ｂ（電話番号「２３４５」）への転送する設定を解除する。
【００５４】
（２）自席のＳＩＰ電話端末３Ａ以外のＳＩＰ電話端末３から新たに転送先が設定された場合。  
例えば、ＳＩＰ電話端末３Ａに対してＳＩＰ電話端末３Ｎから転送先の電話番号に「４５６７」のような新たな転送先の設定が行われるか、又は、転送設定の解除条件として転送元のＳＩＰ電話端末３Ａの電話番号「１２３４」が設定される場合である。ＳＩＰ電話端末３Ｎのキーボードから、例えば、「＊１２３４＃４５６７＊」、又は、「＊１２３４＃１２３４＊」の様に電話番号設定が行われる。そして、アプリケーション制御装置４の監視制御部４２は、この新たな転送電話の設定の情報を受信した場合、それまでデータベース部４３に記憶していた転送宛先の電話番号の「２３４５」を「４５６７」、又は、「１２３４」で上書きしてＳＩＰ電話端末３Ｂへの転送電話の設定を解除する。（なお、この操作は、ＳＩＰ電話端末３Ａから行った場合でも同様な処理が行われる。）
また、本発明の実施例では、パーソナルモビリティに限らず、仮想的な端末のモビリティを持たすことも可能である。上記の動作は、ＳＩＰ電話端末３ＡのユーザＵ１への呼接続を転送する場合の処理手順であるが、ユーザを特定しないで、ＳＩＰ電話端末３Ａに掛かった電話（呼）を全て、転送する設定を行う。即ち、上記の例では、ＳＩＰ電話端末３Ａから転送電話を設定する場合、転送先を「＊２３４５」とした場合にその転送はユーザ「Ｕ１」宛の呼を示すことがデフォルトで設定されている。そこで、このユーザ「Ｕ１」の指定を解除する情報（例えば、＊０）を付加した転送コマンド「＊０＊２３４５」とすることにより、ＳＩＰ電話端末３Ａへの呼を全て、ＳＩＰ電話端末３Ｂへ転送する設定を行う。このユーザＩＤが指定されていない場合の転送電話の呼は、宛先ＩＰアドレス「U0@192．168．200．5」と転送元のＩＰアドレス「U1@192.168.100.1」が設定されたパケットで通知される。
【００５５】
従って、アプリケーションサーバ４は、そのパケットから判読したＩＰアドレス「U1@192.168.100.1」をデータベース部４３の記憶データと照合することによりＳＩＰ電話端末３Ａからの転送電話であることを知ることが出来る。そして、転送電話の設定の解除忘れを防ぐために、アプリケーション制御装置４は、呼接続処理装置２を介してＳＩＰ電話端末３Ｂの呼接続処理を監視して、設定終了後、又は、転送電話の通話終了後、ＳＩＰ電話端末３Ａから所定の時間を過ぎても転送電話の着呼が無い場合、当該転送設定を解除する。
【００５６】
なお、転送電話のコマンドは、デフォルトとして当該電話のユーザＩＤの設定をしないが、反対に転送コマンドのデフォルトを当該電話のユーザＩＤを設定する様にして、ユーザＩＤを、例えば、「＊Ｕ１＊２３４５」と入力するものであっても良い。
【００５７】
（第２の実施の形態）
図８は、本発明の第２の実施の形態に係わるＳＩＰ電話システムの構成図である。  
図８において、ＳＩＰ電話システムは、ＩＰネットワーク１、ＩＰ−ＰＢＸ２００、ＳＩＰサーバ２０、ＳＩＰ電話端末３Ａ〜３Ｎ、交換電話網５、管理端末６とを備えている。
【００５８】
交換電話網５は、ＩＰ電話の呼接続処理を行うＩＰ−ＰＢＸ２００と接続され、ＩＰ―ＰＢＸ２００は、更にＩＰネットワーク１を介してＳＩＰサーバ２０に接続されている。なお、このＩＰ−ＰＢＸは、ＳＩＰ手順による呼接続処理を行うものに限らない。
【００５９】
呼接続制御手段であるＳＩＰサーバ２０は、図１に示される呼制御処理装置２の内部構成にアプリケーション制御装置４が加わったもので、ＩＰ−ＰＢＸ２００が管理する１ドメイン内でＳＩＰ手順によりＩＰ電話の呼接続を処理する。ＩＰ−ＰＢＸ２００のＩＰ電話のプロトコルがＳＩＰ手順と異なる場合、プロトコル変換をこれらのうちどちらかが、行う。図８においては、ＳＩＰサーバ２０の構成の一部にプロトコル変換部２７が備えられている。
【００６０】
図９は、ＳＩＰサーバ２０の内部構成を示す機能ブロック図である。  
ＳＩＰサーバ２０は、図１における呼制御処理装置２の内部にプロトコル変換部２７およびアプリケーション制御装置４が追加され、他の構成と内部バスを介して情報を入出力する構成である。以上の点を除いて、ルータ（図示せず）およびＩＰネットワーク１を介してＳＩＰサーバにログオンするＳＩＰ電話端末３Ａ〜３ＮとＳＩＰサーバ２０との間の動作や処理手順は、図１に示される第１の実施の形態のＳＩＰ電話システムと同様であって、転送などの電話機能は、ＳＩＰサーバ２０のアプリケーション制御処理装置４が制御する。
【図面の簡単な説明】
【００６１】
【図１】本発明の第１の実施の形態に係わる電話システムの構成図。
【図２】呼接続処理装置の内部構成を示す機能ブロック図。
【図３】呼接続処理装置のテーブルが記憶するリストの例を示す図。
【図４】アプリケーション制御装置の内部構成を示す機能ブロック図。
【図５】データベース４３の記憶データの内容を示す図。
【図６】ＳＩＰ電話端末の内部構成を示す機能ブロック図。
【図７】本発明の実施例に関わる電話システムが転送電話を行なう際の処理の流れを示すフローチャート。
【図８】本発明の第２の実施の形態に係わる電話システムの構成図。
【図９】ＳＩＰサーバの内部構成を示す機能ブロック図
【符号の説明】
【００６２】
１  ＩＰネットワーク
２  呼接続処理装置
２１  電話網ＩＦ
２２  ＩＰネットワークＩＦ
２３  レジストラ部
２４  ロケーション部
２５  コネクション部
３Ａ〜３Ｎ  ＳＩＰ電話端末
３１  音声処理部
３２  呼処理部
３３  ＩＰネットワークＩＦ
４  アプリケーション制御装置
４１  ＩＰネットワークＩＦ
４２  監視制御部
４３  データベース部
５  交換電話網
６  管理端末
２０  ＳＩＰサーバ
２７  プロトコル変換部
２００  ＩＰ―ＰＢＸ  
【図１】
2006033116.tif 000003
【図２】
2006033116.tif 000004
【図３】
2006033116.tif 000005
【図４】
2006033116.tif 000006
【図５】
2006033116.tif 000007
【図６】
2006033116.tif 000008
【図７】
2006033116.tif 000009
【図８】
2006033116.tif 000010
【図９】
2006033116.tif 000011